(57)【要約】【課題】被験者の視線の方向に影響されずに検査を行うことを目的としている。【解決手段】光線を出射する光源と、前記光線を走査して検査用画像光線を生成する走査ミラーと、を有し、前記検査用画像光線を検査用画像として被験者の網膜に投影するレーザ投影部と、前記レーザ投影部を移動させる駆動部と、前記被験者の視線方向を検出する視線方向検出部と、前記駆動部に、前記視線方向に応じて前記レーザ投影部を移動させる制御部と、を有する視野視力検査装置である。【選択図】図４
2020010821.tif 000002
【特許請求の範囲】
【請求項１】
光線を出射する光源と、前記光線を走査して検査用画像光線を生成する走査ミラーと、を有し、前記検査用画像光線を検査用画像として被験者の網膜に投影するレーザ投影部と、
前記レーザ投影部を移動させる駆動部と、
前記被験者の視線方向を検出する視線方向検出部と、
前記駆動部に、前記視線方向に応じて前記レーザ投影部を移動させる制御部と、を有する視野視力検査装置。
【請求項２】
前記制御部は、
前記光線の照射位置が、前記被験者の視線方向上となるように、前記駆動部に、前記レーザ投影部を移動させる、請求項１記載の視野視力検査装置。
【請求項３】
前記制御部は、
前記駆動部に、前記被験者が視線を向けた方向に向かって、前記レーザ投影部を移動させる、請求項１記載の視野視力検査装置。
【請求項４】
前記視線方向検出部は、撮像装置であって、
前記制御部は、
前記撮像装置が撮像した画像データに基づき、前記被験者の視線方向を検出する、請求項１乃至３の何れか一項に記載の視野視力検査装置。
【請求項５】
前記視線方向検出部は、
前記被験者の顔面の筋肉の動きにより、前記被験者の視線方向を検出する、請求項１乃至３の何れか一項に記載の視野視力検査装置。
【請求項６】
光線を出射する光源と、前記光線を走査して検査用画像光線を生成する走査ミラーと、を有し、前記検査用画像光線を固視指標を含む検査用画像として被験者の網膜に投影するレーザ投影部と、
前記レーザ投影部を移動させる駆動部と、
前記駆動部に、前記固視指標が移動していく方向に向かって前記レーザ投影部を移動させる制御部と、を有する視野視力検査装置。
【請求項７】
前記制御部は、
前記レーザ投影部に、
前記被験者の視野と対応する投影領域内において、前記固視指標を含む前記検査用画像の描画位置を変更させる、請求項６記載の視野視力検査装置。
【請求項８】
前記制御部は、
前記固視指標が、前記投影領域外となったとき、前記駆動部に、前記固視指標が移動していく方向に向かって、前記レーザ投影部を移動させる、請求項７記載の視野視力検査装置。
【請求項９】
前記制御部は、
前記検査用画像を示す検査用画像データと、前記被験者が前記検査用画像を視認した結果を示す情報と、が格納される記憶部を有する、請求項１乃至８の何れか一項に記載の視野視力検査装置。
【請求項１０】
前記光源は、可視光線と不可視光線とを出射する光源であって、
前記検査用画像光線は、可視光線であり、
前記不可視光線を走査して、前記被験者の網膜に前記不可視光線を照射する照射部と、
前記被験者の網膜で反射した前記不可視光線を検出する検出器と、を有し、
前記制御部は、
前記検出器の出力信号から前記被験者の眼底の状態の検出する、請求項１乃至９の何れか一項に記載の視野視力検査装置。
【請求項１１】
前記光源は、可視光線と不可視光線とを出射する光源であって、
前記制御部は、
前記不可視光線を前記被験者の網膜へ照射して検出された前記被験者の眼軸長に基づき、前記レーザ投影部を移動させる請求項２記載の視野視力検査装置。
【請求項１２】
視野視力検査装置による視野視力検査方法であって、
光線を出射する光源と、前記光線を走査して検査用画像光線を生成する走査ミラーと、を有するレーザ投影部による、前記検査用画像光線を検査用画像として被験者の網膜に投影する手順と
駆動部による、前記レーザ投影部を移動させる手順と、
視線方向検出部による、前記被験者の視線方向を検出する手順と、
制御部による、前記駆動部に、前記視線方向に応じて前記レーザ投影部を移動させる手順と、を有する視野視力検査方法。
【請求項１３】
視野視力検査装置による視野視力検査方法であって、
光線を出射する光源と、前記光線を走査して検査用画像光線を生成する走査ミラーと、を有するレーザ投影部による、前記検査用画像光線を固視指標を含む検査用画像として被験者の網膜に投影する手順と、
駆動部による、前記レーザ投影部を移動させる手順と、
制御部による、前記駆動部に、前記固視指標が移動していく方向に向かって前記レーザ投影部を移動させる手順と、を有する視野視力検査方法。
【発明の詳細な説明】
【技術分野】
【０００１】
本発明は、視野視力検査装置及び視野視力検査方法に関する。
【背景技術】
【０００２】
従来から、被験者の視野を覆う筐体の中に注視点を提示し、被験者が視線を注視点に向けた状態で、輝点（視標）の位置を注視点の周辺から被験者の視野の外側に向かって変更していく視野検査装置が知られている。
【０００３】
また、近年では、被験者の網膜にレーザ光を照射して検査用画像を網膜に投影させる網膜走査技術を用いた視野検査装置が知られている。
【先行技術文献】
【特許文献】
【０００４】
【特許文献１】特開２００９−１４２３１３号公報
【発明の概要】
【発明が解決しようとする課題】
【０００５】
従来の視野検査装置では、検査中は視線を注視点に向け続ける必要があるため、被験者にとっての負担が大きい。また、網膜走査技術を用いた視野検査装置では、被験者の視線が注視点から外れた場合、レーザ光が被験者の瞳孔を通過せず、検査用画像が投影されなくなり、検査が中断される。
【０００６】
開示の技術は、上述した事情に鑑みて成されたものであり、被験者の視線の方向に影響されずに視野や視力などの視覚検査を行うことを目的としている。
【課題を解決するための手段】
【０００７】
開示の技術は、光線を出射する光源と、前記光線を走査して検査用画像光線を生成する走査ミラーと、を有し、前記検査用画像光線を検査用画像として被験者の網膜に投影するレーザ投影部と、前記レーザ投影部を移動させる駆動部と、前記被験者の視線方向を検出する視線方向検出部と、前記駆動部に、前記視線方向に応じて前記レーザ投影部を移動させる制御部と、を有する視野視力検査装置である。
【発明の効果】
【０００８】
被験者の視線の方向に影響されずに視野や視力などの視覚検査を行うことができる。
【図面の簡単な説明】
【０００９】
【図１】第一の実施形態の視野視力検査装置の外観を示す図である。
【図２】第一の実施形態の視力検査装置のハードウェア構成を説明する図である。
【図３】第一の実施形態のレーザ投影部を説明する図である。
【図４】第一の実施形態における、眼球に対するレーザ投影部の動きを説明する図である。
【図５】第一の実施形態の制御部の機能を説明する図である。
【図６】検査用画像の一例を示す図である。
【図７】第一の実施形態の視野視力検査装置の動作を説明するフローチャートである。
【図８】第一の実施形態のレーザ投影部による検査用画像の投影について説明する図である。
【図９】第二の実施形態のレーザ投影部の動きを説明する図である。
【図１０】第二の実施形態の制御部の機能を説明する図である。
【図１１】第二の実施形態の視野視力検査装置の動作を説明するフローチャートである。
【図１２】第二の実施形態のレーザ投影部による検査用画像の投影について説明する図である。
【図１３】第三の実施形態の視力検査装置のハードウェア構成を説明する図である。
【図１４】第三の実施形態のレーザ投影部の動きを説明する図である。
【図１５】第三の実施形態の制御部の機能を説明する図である。
【図１６】第三の実施形態の視野視力検査装置の動作を説明するフローチャートである。
【図１７】レーザ投影部の変形例を示す図である。
【図１８】撮像部の取り付けについて説明する図である。
【図１９】第四の実施形態のレーザ照射部について説明する図である。
【発明を実施するための形態】
【００１０】
（第一の実施形態）
以下に図面を参照して第一の実施形態について説明する。図１は、第一の実施形態の視野視力検査装置の外観を示す図である。
【００１１】
本実施形態の視野視力検査装置１００は、台座１０１、フレーム１０２、調整部材１０３、１０４、基部１０５、支持部１０６ａ、１０６ｂ、画像投影部１０７ａ、１０７ｂ、撮像部１８０ａ、１８０ｂを有する。
【００１２】
本実施形態の視野視力検査装置１００において、基部１０５の上に台座１０１が設けられており、フレーム１０２は、両端が基部１０５の上面に固定されている。
【００１３】
画像投影部１０７ａ、１０７ｂは、支持部１０６ａ、１０６ｂによって支持されており、内部に、後述するレーザ照射部と、駆動部とを有する。画像投影部１０７ａ、１０７ｂは、それぞれが有するレーザ照射部によって、視野や視力を検査する被験者の左眼と右眼に対し、レーザ光を照射し、被験者の網膜に検査用画像を投影させる。
【００１４】
撮像部１８０ａ、１８０ｂは、検査中の被験者の眼球の動きを検出するために、被験者の右眼、左眼それぞれの眼球の画像を撮像するカメラである。
【００１５】
以下の説明では、画像投影部１０７ａと画像投影部１０７ｂとを区別しない場合には、画像投影部１０７と呼び、支持部１０６ａ、１０６ｂを区別しない場合には、支持部１０６と呼び、撮像部１８０ａ、１８０ｂを区別しない場合には撮像部１８０と呼ぶ。
【００１６】
調整部１０３は、画像投影部１０７が支持された支持部１０６を、紙面に示すＹ軸方向に移動させる。調整部１０４は、画像投影部１０７を支持部１０６に沿ってＺ軸方向に移動させる。
【００１７】
視野視力検査装置１００は、台座１０１とフレーム１０２のそれぞれに被験者の顎と額とを接触させ、調整部１０３、１０４によって、被験者が画像投影部１０７を覗くような状態となるように、画像投影部１０７を眼球に近づけた状態で検査が行われる。
【００１８】
また、本実施形態の視野視力検査装置１００では、撮像部１８０によって撮像された被験者の眼球の画像から被験者の眼球の動きを検出することによって被検者の視線方向を検出し、画像投影部１０６内において、駆動部により、レーザ照射部を被験者の眼球の動き（視線方向）に合わせて動かす。より具体的には、本実施形態では、被験者の眼球が検査中に動いた場合に、レーザ照射部から照射されるレーザ光が、被験者の瞳孔を通過するように、駆動部によってレーザ照射部を移動させ、レーザの照射位置を変更させる。
【００１９】
したがって、本実施形態によれば、網膜走査型の視野視力検査装置において、レーザ光が被験者の瞳孔を通過せず、検査用画像が投影されなくなる、といったことを抑制できる。言い換えれば、本実施形態によれば、被験者の視線が、注視点等が示す一方向を向いていない場合であっても、レーザ光を被験者の瞳孔に通すことができ、被験者の視線の方向に影響されずに検査を行うことができる。
【００２０】
以下に、図２を参照して、視野視力検査装置１００のハードウェア構成について説明する。図２は、第一の実施形態の視力検査装置のハードウェア構成を説明する図である。
【００２１】
本実施形態の視野視力検査装置１００は、レーザ投影部１１０、通信部１２０、制御部１３０、記憶部１４０、レーザ出力制御部１５０、駆動部１６０、操作部１７０、撮像部１８０を有する。
【００２２】
レーザ投影部１１０は、記憶部１４０に格納された検査用画像データに基づくレーザ光を、予め設定された光量で被験者の網膜に照射する。すなわち、レーザ投影部１１０は被験者にとっての接眼部であり、このレーザ投影部１１０に眼を当てる（レーザ投影部１１０を覗き込む）ことによって、被験者は網膜に投影された検査用画像などを視認し、視野検査や視力検査を行うことができる。
【００２３】
通信部１２０は、視野視力検査装置１００と、外部装置との通信を行うための通信装置である。具体的には、例えば、通信部１２０は、ネットワーク等を介して医療機関に設けられた端末等と通信を行っても良いし、視野視力検査装置１００と有線等で接続された装置と通信を行っても良い。尚、通信部１２０による通信の方式は、視野視力検査装置１００と外部装置とが通信を行うことができれば、どのような方式であっても良い。
【００２４】
また、本実施形態では、操作部１７０の操作によって入力された検査結果を示す情報等を、通信部１２０を介して視野視力検査装置１００の外部の装置に出力しても良い。
【００２５】
制御部１３０は、例えば、演算処理装置等であり、本実施形態の視野視力検査装置１００の動作の全体を制御する。記憶部１４０は、制御部１３０により実行されるプログラムや、演算により取得された各種の値等を格納する。また、記憶部１４０は、検査に用いられる検査用画像を示す検査用画像データを格納する。
【００２６】
レーザ出力制御部１５０は、レーザ投影部１１０を制御するための演算処理装置等であっても良く、例えば、記憶部１４０に格納された検査用画像データに基づくレーザ光を、設定された光量で、レーザ投影部１１０から照射させる。
【００２７】
駆動部１６０は、制御部１３０からの指示に応じて、レーザ投影部１１０を移動させる。本実施形態の駆動部１６０は、例えば、レーザ投影部１１０を回動させるためのモータ等の動力源であって良い。
【００２８】
操作部１７０は、視野視力検査装置１００に対する各種の操作（入力）を行うものである。具体的には、例えば、操作部１７０は、視野視力検査装置１００による検査の開始を指示する操作や、被験者により視認された視標を特定する操作等の入力に用いられる入力装置であっても良い。操作部１７０は、例えば、上下左右方向の矢印が印字されたキーボードや、ジョイスティックなどが好適である。
【００２９】
本実施形態では、操作部１７０をこのような構成とすれば、例えば、検査用画像に視力測定のための指標であるランドルト環の画像が含まれる場合等に、その切れ目が右であれば右矢印のキーボードを押下したり、ジョイスティックであれば右へ倒すことによって、視認した結果を、被験者Ｐが視認した視標を示す情報（検査結果）として入力することができる。
【００３０】
また、被験者Ｐは、視力検査中は、レーザ投影部１１０に眼を当てているため、操作部１７０を見るためにレーザ投影部１１０から眼を外すことは効率が悪い。このため、操作部１７０を、上下左右を示す操作部品を配置したキーボードとしても良い。さらに、キーボードに突起等を設けることによって、キーボードを見なくても入力できるようにすると、尚好ましい。
【００３１】
撮像部１８０は、レーザ投影部１１０の近傍に配置されたカメラである。本実施形態では、撮像部１８０により撮像された画像データから、被験者の眼球２０の動きや、被験者の瞳孔の向きが検出される。したがって、言い換えれば、撮像部１８０は、被験者の瞳孔２５の位置を検出する瞳孔位置検出部の機能を果たす。また、撮像部１８０は、被験者の視線方向を検出するための視線方向検出部とも言える。
【００３２】
本実施形態の撮像部１８０は、検査が開始されると、被験者の画像を撮像し、その画像データを制御部１３０へ渡す。
【００３３】
尚、図示していないが、本実施形態の視野視力検査装置１００は、各種の情報を出力するための出力部（ディスプレイ）を有しても良い。また、このディスプレイには、検査用画像に基づく被験者Ｐによる視力検査の結果を入力させる入力画面等が表示されても良い。また、出力部は、記憶部１４０に格納された検査結果を示す情報を、記録媒体等に書き出すためのものであっても良い。
【００３４】
次に、図３を参照して、本実施形態のレーザ投影部１１０について説明する。図３は、第一の実施形態のレーザ投影部を説明する図である。
【００３５】
本実施形態のレーザ投影部１１０は、マクスウェル視を利用して、被験者の眼球２０の網膜２２にレーザ光を照射する。
【００３６】
レーザ投影部１１０は、光源１１１、調整部１１２、光学系１１３を有する。光学系１１３は、走査部１１４、平面ミラー１１５、レンズ１１６、１１７を有する。本実施形態の走査部１１４は、例えば、２軸のＭＥＭＳ（Micro Electro Mechanical Systems）ミラーである。
【００３７】
レーザ投影部１１０において、光源１１１が出射したレーザ光Ｌは、調整部１１２において開口数（ＮＡ）及び／又はビーム径が調整される。レーザ光Ｌは、赤色レーザ光、緑色レーザ光、及び青色レーザ光の可視レーザ光である。
【００３８】
レーザ光Ｌは、平面ミラー１１５で反射し、走査部１１４より２次元に走査される。走査されたレーザ光Ｌは、レンズ１１６及びレンズ１１７を介し、被験者の眼球２０に照射する。レーザ光Ｌは、水晶体２１近傍で収束し、硝子体２３を通過し網膜２２に照射する。これにより、網膜２２に画像が投影される。走査部１１４は、例えば、１秒間に６０フレームの画像が投影されるような２８ｋＨｚなどの比較的高い周波数で振動する。
【００３９】
次に、図４を参照して、本実施形態のレーザ投影部１１０の動きについて説明する。図４は、第一の実施形態における、眼球２０に対するレーザ投影部１１０の動きを説明する図であり、眼球２０の、瞳孔２５、虹彩２６、網膜２２、網膜上のレーザ投影領域３０と、レーザ投影部１１０との位置関係を示している。
【００４０】
本実施形態の視野視力検査装置１００では、レーザ投影部１１０を、被験者の眼球２０の動きに合わせて、眼球２０の周囲で回動（回転）させる。より具体的には、本実施形態では、レーザ投影部１１０が、常に被験者の眼球２０の正面に位置するようにも、レーザ投影部１１０を移動させる。
【００４１】
本実施形態では、このようにレーザ投影部１１０を動かすことで、被験者の視線が一方向をむいていなくても、レーザ光Ｌが被験者の瞳孔２５を通るため、検査用画像を被験者の網膜２２に投影することができる。
【００４２】
図４（Ａ）は、被験者が正面から右方向に視線を向けた状態を示している。この場合、被験者の瞳孔２５は、被験者の視線の方向と同じ方向を向く。
【００４３】
この場合、レーザ投影部１１０が、被験者が正面を向いているときと同じ場所からレーザ光Ｌを照射しても、レーザ光Ｌは、瞳孔２５を通過せず、被験者の網膜２２に検査用画像が投影されない。
【００４４】
そこで、本実施形態では、レーザ投影部１１０が、被験者の瞳孔２５の正面に位置するように、レーザ投影部１１０を移動させる。言い換えれば、本実施形態では、レーザ投影部１１０が、被験者の視線方向上に位置するように、レーザ投影部１１０の位置を被験者の眼球２０の動きに応じて移動させる。
【００４５】
図４（Ａ）の場合は、被験者の眼球２０の動きに合わせて、レーザ投影部１１０から照射されるレーザ光Ｌの光軸が、基準となるレーザ光Ｌの光軸からθ１度傾くように、レーザ投影部１１０を移動させている。
【００４６】
尚、基準となるレーザ光Ｌの光軸とは、例えば、被験者の網膜２２に検査の開始時に指標の画像等を投影したときのレーザ光の光軸であっても良い。
【００４７】
図４（Ｂ）は、被験者が正面から左方向に視線を向けた状態を示している。この場合、本実施形態では、被験者の眼球２０の動きに合わせて、レーザ投影部１１０から照射されるレーザ光の光軸が、基準となるレーザ光の光軸からθ２度傾くように、レーザ投影部１１０を移動させている。
【００４８】
尚、図４の例では、角度θ１、θ２は、ＸＹ平面上の角度としているが、本実施形態では、レーザ投影部１１０は、３次元方向に回転させることができる。
【００４９】
尚、本実施形態のレーザ投影部１１０は、具体的には、眼球２０の動きに応じて、眼球２０の外周の一部である円弧に沿って移動する。以下の説明では、レーザ投影部１１０を、移動の軌跡が、眼球２０の外周に沿った円弧状となるように移動させることを、レーザ投影部１１０を回転させる、又は、レーザ投影部１１０を回動させる、と表現する場合がある。
【００５０】
また、眼球２０の外周に対する、レーザ投影部１１０の移動の軌跡となる円弧の長さの割合を、レーザ投影部１１０の回転角度、と表現する場合がある。
【００５１】
次に、図５を参照して、本実施形態の制御部１３０の機能について説明する。図５は、第一の実施形態の制御部の機能を説明する図である。
【００５２】
本実施形態の制御部１３０は、撮像制御部１３１、位置決定部１３２、投影制御部１３３、画像処理部１３４、角度算出部１３５、駆動制御部１３６を有する。
【００５３】
本実施形態の撮像制御部１３１は、撮像部１８０による画像の撮像を制御する。具体的には、撮像制御部１３１は、所定の間隔で撮像部１８０に、被験者の画像を撮像させても良い。
【００５４】
本実施形態の位置決定部１３２は、検査の開始時に、レーザ投影部１１０の位置を決定する。具体的には、位置決定部１３２は、検査の開始において、被験者から、基準となる指標を視認したことを示す操作を受けた場合に、このときのレーザ投影部１１０の位置を初期の位置に決定する。
【００５５】
投影制御部１３３は、レーザ投影部１１０による検査用画像の投影を制御する。具体的には、投影制御部１３３は、記憶部１４０から検査用画像データを読み出してレーザ出力制御部１５０へ渡す。レーザ出力制御部１５０は、レーザ投影部１１０に対し、検査用画像データに基づくレーザ光を、予め設定された光量で、被験者の網膜２２に照射させる。
【００５６】
画像処理部１３４は、撮像部１８０により撮像された瞳孔２５、虹彩２６などの画像の画像データを解析して、被験者の眼球２０の動き（視線方向）を検出する。具体的には、画像処理部１３４は、被験者の画像を撮像すると、その直前に撮像した画像と比較し、比較の結果に応じて、被験者の眼球が動いたか否かを判定している。言い換えれば、画像処理部１３４は、画像同士の比較結果に応じて、被験者の視線方向の変化を検出している。
【００５７】
例えば、画像処理部１３４は、複数の画像について、画素毎に画素値を比較し、画素値差分が所定の値以上となる画素が、一定数存在する場合に、被験者の眼球２０が動いたと判定しても良い。
【００５８】
角度算出部１３５は、画像処理部１３４により、被験者の眼球２０の動いたと判定された場合に、レーザ投影部１１０を回転させる角度を算出する。具体的には、角度算出部１３５は、画像処理部１３４において比較された２つの画像から、被験者の視線方向の変化を算出し、視線方向の変化に基づき、レーザ投影部１１０を回転させる角度を算出しても良い。
【００５９】
尚、角度算出部１３５による角度の本実施形態の角度算出部１３５は、検査を開始したときの被験者の視線方向と、撮像部１８０が画像を取得したときの被験者の視線方向とを比較して、レーザ投影部１１０を回転させる角度を算出しても良い。
【００６０】
駆動制御部１３６は、レーザ投影部１１０を、角度算出部１３５により算出された角度分、レーザ投影部１１０を回転させるように、駆動部１６０を制御する。
【００６１】
次に、図６を参照して、本実施形態の検査用画像について説明する。図６は、検査用画像の一例を示す図である。
【００６２】
図６に示す検査用画像６０では、複数の大きさの異なるランドルト環の画像を含む。本実施形態の検査用画像６０では、このように、大きさの異なるランドルト環を複数配置することで、視力の検査に加えて、視野の欠損の有無等を検査する視野検査を行うことができる。
【００６３】
例えば、検査用画像６０を被験者の網膜２２に投影したとき、被験者が領域６１内に配置されたランドルト環を視認できなかったとする。この場合には、被験者の視野に欠損があることがわかる。
【００６４】
尚、本実施形態の検査用画像は、図６に示す検査用画像６０に限定されない。本実施形態の検査用画像には、ランドルト環以外の指標（文字や数字等）の画像が含まれても良い。また、検査用画像は、一般的な画像であっても良い。具体的には、例えば、果物や植物、乗り物や建物といった画像であっても良い。
【００６５】
また、本実施形態の検査用画像６０は、検査を開始する際に、レーザ投影部１１０の位置を決定するための基準となる指標の画像と重畳されても良い。
【００６６】
次に、図７を参照して、本実施形態の視野視力検査装置１００の動作について説明する。図７は、第一の実施形態の視野視力検査装置の動作を説明するフローチャートである。
【００６７】
本実施形態の視野視力検査装置１００は、検査の開始指示を受けると、制御部１３０の投影制御部１３３により、レーザ投影部１１０に、レーザ投影部１１０の位置を決定するための基準となるレーザ光を照射させる（ステップＳ７０１）。言い換えれば、視野視力検査装置１００は、レーザ投影部１１０により、被験者の網膜２２に、基準となる指標の画像を投影する。
【００６８】
続いて、視野視力検査装置１００の制御部１３０は、撮像部１８０により、被験者の瞳孔２５、虹彩２６などの眼球画像が撮像されたか否かを判定する（ステップＳ７０２）。具体的には、制御部１３０は、撮像制御部１３１が撮像部１８０の撮像した被験者の眼球画像を示す画像データを取得したか否かを判定している。
【００６９】
ステップＳ７０２で被験者の眼球画像が撮像されていない場合、視野視力検査装置１００は、被験者の画像が撮像されるまで待機する。
【００７０】
ステップＳ７０２において、被験者の眼球画像が撮像されると、制御部１３０は、位置決定部１３２により、このときのレーザ投影部１１０の位置を初期位置に決定する（ステップＳ７０３）。
【００７１】
尚、撮像部１８０は、被験者により、操作部１７０に対して自身の眼球画像の撮像を許可することを示す操作が行われると、被験者の眼球画像の撮像を行っても良い。また、被験者は、例えば、自身の網膜２２に投影された指標を視認した場合に、撮像を許可するようにしても良い。
【００７２】
続いて、制御部１３０は、投影制御部１３３により、記憶部１４０に格納された検査用画像データを読みだして、レーザ出力制御部１５０とレーザ投影部１１０とにより、検査用画像を被験者の網膜２２に投影する（ステップＳ７０４）。
【００７３】
続いて、制御部１３０は、被験者の眼球２０が動いたか否かを判定する（ステップＳ７０５）。具体的には、制御部１３０は、撮像制御部１３１により撮像部１８０を制御して、一定の間隔で被験者の眼球画像を示す画像データを取得し、画像処理部１３４により、画像データ同士を比較して、被験者の眼球２０に動きがあったか否かを判定している。
【００７４】
ステップＳ７０５において、動きがないと判定された場合、制御部１３０は、後述するステップＳ７０８へ進む。
【００７５】
ステップＳ７０５において、動きがあると判定された場合、制御部１３０は、角度算出部１３５により、レーザ投影部１１０の回転角度を算出する（ステップＳ７０６）。
【００７６】
続いて、制御部１３０は、駆動制御部１３６により、回転後のレーザ投影部１１０から照射されるレーザ光の光軸と、初期位置にあるレーザ投影部１１０から照射されるレーザ光の光軸との角度が、算出された回転角度となるように、レーザ投影部１１０を回転させる（ステップＳ７０７）。
【００７７】
続いて、制御部１３０は、検査が終了したか否かを判定する（ステップＳ７０８）。具体的には、制御部１３０は、操作部１７０により、検査の終了を指示する操作が行われた場合に、検査の終了としても良い。
【００７８】
ステップＳ７０８において、検査が終了していない場合、制御部１３０は、ステップＳ７０５へ戻る。
【００７９】
ステップＳ７０８において、検査が終了している場合、制御部１３０は、駆動制御部１３６により、駆動部１６０を制御して、レーザ投影部１１０を初期位置に戻し（ステップＳ７０９）、処理を終了する。
【００８０】
以下に、図８を参照して、本実施形態の視野視力検査装置１００の動作について、具体的に説明する。図８は、第一の実施形態のレーザ投影部による検査用画像の投影について説明する図である。
【００８１】
図８（Ａ）は、被験者の眼球２０が正面を向いている状態を示している。ここでは、図８（Ａ）に示すレーザ投影部１１０の位置を、初期位置とする。図８（Ｂ）は、被験者の眼球２０が右側を向いた状態を示しており、図８（Ｃ）は、被験者の眼球２０が左側を向いた状態を示している。
【００８２】
図８（Ａ）に示すように、初期位置においてレーザ投影部１１０が検査用画像データに基づくレーザ光Ｌを被験者の眼球２０に照射すると、レーザ光Ｌは被験者の瞳孔２５を通過して、網膜２２に検査用画像６０を投影する。このとき、被験者の網膜２２において検査用画像６０が描画（投影）される領域は、レーザ投影部１１０の走査部１１４により走査される領域であり、図８（Ａ）の例では、領域３０となる。以下の説明では、被験者の網膜２２において検査用画像６０が描画される領域のことを、検査用画像の描画領域と呼ぶ。
【００８３】
描画領域３０に検査用画像６０が投影されると、被験者の視野は、視野８１のようになる。このとき、被験者は、視野視力検査装置１００に対し、視野８１における検査用画像６０から、ランドルト環の切れ目を視認できるか否かを示す情報を操作部１７０により入力することで、視力検査を行うことができる。
【００８４】
また、被験者は、事前に検査用画像６０に含まれるランドルト環の数を知らされており、全てのランドルト環が視認できたか否かを示す情報を操作部１７０により入力することで、視野検査を行うことができる。
【００８５】
本実施形態の視野視力検査装置１００では、レーザ投影部１１０が被験者の視線方向（眼球２０の動き）に追従して回転する。したがって、本実施形態では、レーザ投影部１１０が常に被験者の眼球２０の正面に位置するようになる。
【００８６】
このため、図８（Ｂ）における被験者の視野８２も、図８（Ｃ）における被験者の視野８３も、図８（Ａ）における視野８１と同じようなる。
【００８７】
より具体的には、本実施形態では、図８（Ｂ）のように、被験者の瞳孔２５が右側を向いている場合には、レーザ投影部１１０が瞳孔２５の正面にくるように、時計回り方向に回転し、レーザ光Ｌを照射する。したがって、図８（Ｂ）の状態においても、被験者の網膜２２における検査用画像６０は、描画領域３０に投影される。
【００８８】
また、本実施形態では、図８（Ｃ）のように、被験者の瞳孔２５が左側を向いている場合には、レーザ投影部１１０が瞳孔２５の正面にくるように、反時計回り方向に回転し、レーザ光Ｌを照射する。したがって、図８（Ｃ）の状態においても、被験者の網膜２２における検査用画像６０は、描画領域３０に投影される。
【００８９】
このように、本実施形態では、レーザ投影部１１０が被験者の眼球２０の動きに追従して回転移動するため、検査中に、被験者が特定の注視点を固視していなくても、視野検査を行うことができる。したがって、本実施形態によれば、検査における被験者の負担を軽減できる。
【００９０】
また、本実施形態によれば、注視点を固視する必要がないため、例えば、黄斑部等に疾患がある被験者や、網膜の中心部の視野が欠損しているような被験者等のように、注視点を固視することができない被験者に対しても、視野と視力の検査を行うことができる。
【００９１】
尚、本実施形態では、眼球２０の動きが検出されない場合であっても、レーザ投影部１１０を所定の回転角で振り子のように動かしても良い。
【００９２】
図８（Ｃ）の例では、眼球２０の動きに合わせて、眼球２０の周囲でレーザ投影部１１０を回転移動させた後に、レーザ投影部１１０をさらに移動させている。
【００９３】
図８（Ｃ）の例では、移動後のレーザ投影部１１０から照射されるレーザ光Ｌの光軸に対する、レーザ光Ｌ１の角度が、一定の角度θ３となるように、レーザ投影部１１０を動かす。
【００９４】
本実施形態では、このように、レーザ投影部１１０を動かすことで、網膜２２において検査用画像が投影される領域を広げることができる。尚、角度θ３とは、レーザ光Ｌ１が瞳孔２５を通過する角度である。
【００９５】
図８（Ｃ）の例では、レーザ光Ｌによって検査用画像６０が投影される領域は、描画領域３０である。また、レーザ光Ｌ１によって検査用画像６０が投影される領域は、領域３１である。領域３１は、描画領域３０に含まれない領域を含んでいるため、網膜２２のより広範囲の領域について、視野と視力の検査を行うことができる。
【００９６】
本実施形態の変形例として、駆動部１６０がレーザ投影部１１０を回動させるだけでなく、回動の回転中心を移動させる機能を持つとともに、眼球２０の眼軸長の測定を行う眼軸長測定部を備えるようにしても良い。これによって、変形例では、眼球２０の眼軸長に適合するように、レーザ投影部１１０の位置を設定することができる。
【００９７】
ここで、眼軸長とは、角膜から網膜までの長さであり、その長さは、遠視、近視などに起因し、個人差がある。眼軸長は、例えば、被験者の瞳孔から網膜に向かって、レーザ投影部１１０から不可視レーザ光を照射し、不可視レーザ光の反射光を受光して、出射光と受光光との位相差を検出し、その位相差によって測定することができる。
【００９８】
レーザ投影部１１０から投射されるレーザ光は、眼球２０の網膜２２上で焦点を結ぶように投影されるが、眼軸長によっては、レーザ光の焦点が網膜２２上に結ばれないこともありうる。
【００９９】
そのため、変形例では、眼軸長測定部で測定された眼軸長に応じて、レーザ投影部１１０の回動中心の位置を最適化することによって、レーザ光の焦点の位置を精度よく網膜２２上の位置とさせることができ、投影画像の解像度を最適化することができる。
【０１００】
さらに、レーザ投影部１１０の回動中心の位置を変化させながら、被検者の眼球２０へレーザ光を照射し、その焦点が合ったとき（被験者が視認して、そのピントが合ったとき）を、最適な位置としてレーザ投影部１１０の位置を設定することもできる。
【０１０１】
また、本実施形態の検査用画像６０には、注視点となる指標の画像が含まれない。これは、撮像部１８０によって被験者の眼球２０の動きを検出することで、被験者の瞳孔２５の向きを検出しているため、被験者の視線の方向を一方向に固定する必要がないからである。
【０１０２】
また、本実施形態では、眼球２０の動き（視線方向の変化）を検出するために、撮像部１８０により被験者の眼球２０を含む画像を撮像するものとしたが、眼球２０の動きを検出する方法は、これに限定されない。
【０１０３】
本実施形態では、例えば、被験者の顔面（上下の瞼等）に電極を貼り付けて、筋電計により被験者の眼球２０の動きを検出しても良い。この場合、撮像部１８０は不要となる。
【０１０４】
さらに、本実施形態の制御部１３０は、例えば、被験者が検査を開始する際に、操作部１７０により、被験者を特定するための情報を入力させ、被験者毎の検査結果を示す情報を、被験者を特定するための情報と対応付けて、被験者毎に格納しても良い。被験者を特定するための情報とは、例えば、被験者の氏名であっても良いし、被験者に付与されたＩＤ等であっても良い。
【０１０５】
（第二の実施形態）
以下に図面を参照して、第二の実施形態について説明する。第二の実施形態では、レーザ投影部１１０を水平移動させる点が、第一の実施形態と相違する。よって、以下の第二の実施形態の説明では、第一の実施形態との相違点について説明し、第一の実施形態と同様の機能構成を有するものには、第一の実施形態の説明で用いた符号と同様の符号を付与し、その説明を省略する。
【０１０６】
図９は、第二の実施形態のレーザ投影部の動きを説明する図である。図９（Ａ）は、被験者が正面から右方向に視線を向けた状態を示しており、図９（Ｂ）は、被験者が正面から左方向に視線を向けた状態を示している。また、図９（Ｃ）は、被験者の網膜２２において検査用画像が投影される領域を示している。
【０１０７】
本実施形態では、被験者の眼球２０が右方向に視線を向けた場合、レーザ投影部１１０を右方向に平行移動させる。具体的には、本実施形態では、レーザ投影部１１０は、Ｘ軸方向又はＹ軸方向に移動する。
【０１０８】
この場合、レーザ投影部１１０から照射されるレーザ光は、被験者の視線方向とは異なる方向から瞳孔２５を通過することになる。したがって、図９（Ａ）の場合の投影領域である領域３２は、レーザ投影部１１０が被験者の視線方向上にある場合の投影領域である領域３０と比較して、網膜２２の右側端部に近づく領域となる（図８参照）。
【０１０９】
同様に、図９（Ｂ）の場合の投影領域である領域３３は、レーザ投影部１１０が被験者の視線方向上にある場合の投影領域である領域３０と比較して、網膜２２の左側端部に近づく領域となる（図８参照）。
【０１１０】
このように、本実施形態では、被験者の眼球２０の動きに合わせてレーザ投影部１１０を平行移動させることで、図９（Ｃ）に示すように、投影領域は、領域３０、３２、３３を含む領域３４となる。したがって、本実施形態によれば、被験者の網膜２２の黄斑部以外の領域についても、視野検査と視力検査を行うことができる。
【０１１１】
図１０は、第二の実施形態の制御部の機能を説明する図である。
【０１１２】
本実施形態の制御部１３０Ａは、撮像制御部１３１、位置決定部１３２、投影制御部１３３、画像処理部１３４、移動量算出部１３５Ａ、駆動制御部１３６を有する。
【０１１３】
本実施形態の移動量算出部１３５Ａは、画像処理部１３４が被験者の眼球２０の動きを検出すると、レーザ投影部１１０の移動量を算出する。
【０１１４】
レーザ投影部１１０の移動量とは、レーザ投影部１１０を初期位置から移動させる距離と、方向とを示す。本実施形態の移動量算出部１３５Ａは、画像処理部１３４による画像同士の比較の結果から、レーザ投影部１１０を移動させる方向と、移動距離とを算出する。
【０１１５】
次に、図１１を参照して、本実施形態の視野視力検査装置１００Ａの動作について説明する。図１１は、第二の実施形態の視野視力検査装置の動作を説明するフローチャートである。
【０１１６】
図１１のステップＳ１１０１からステップＳ１１０５までの処理は、図７のステップＳ７０１からステップＳ７０５までの処理と同様であるから、説明を省略する。
【０１１７】
ステップＳ１１０５において、被験者の眼球２０の動きが検出されると、制御部１３０Ａは、移動量算出部１３５Ａにより、レーザ投影部１１０の移動量を算出する（ステップＳ１１０６）。続いて、制御部１３０Ａは、駆動制御部１３６により、駆動部１６０を制御して、レーザ投影部１１０を算出された方向に、算出された距離だけ移動させる（ステップＳ１１０７）。
【０１１８】
図１１のステップＳ１１０８とステップＳ１１０９の処理は、図７のステップＳ７０８とステップＳ７０９の処理と同様であるから、説明を省略する。
【０１１９】
次に、図１２を参照して、本実施形態のレーザ投影部１１０による検査用画像の投影について説明する。図１２は、第二の実施形態のレーザ投影部による検査用画像の投影について説明する図である。
【０１２０】
図１２（Ａ）は、被験者の眼球２０が正面を向いている状態を示している。ここでは、図１２（Ａ）に示すレーザ投影部１１０の位置が、初期位置とする。図１２（Ｂ）は、被験者の眼球２０が右側を向いた状態を示しており、図１２（Ｃ）は、被験者の眼球２０が左側を向いた状態を示している。
【０１２１】
図１２（Ａ）の例では、検査用画像６０の投影領域である領域３０は、網膜２２の中心部分となる。したがって、被験者は、視野８１の中央部分において、検査用画像６０を視認する。
【０１２２】
図１２（Ｂ）の例では、検査用画像６０の投影領域である領域３２は、網膜２２の右側に偏った部分となる。したがって、被験者は、視野８２の左側部分において、検査用画像６０を視認する。図１２（Ｃ）の例では、検査用画像６０の投影領域である領域３３は、網膜２２の左側に偏った部分となる。したがって、被験者は、視野８３の右側部分において、検査用画像６０を視認する。
【０１２３】
つまり、本実施形態では、検査用画像６０は、被験者が視線を向けた方向側の網膜２２に投影される。したがって、本実施形態では、被験者の視野において、被験者が視線を向けた方向と反対側の領域で検査用画像６０が視認されるようになる。
【０１２４】
このように、本実施形態によれば、被験者の視線に合わせてレーザ投影部１１０を平行移動させるだけで、網膜２２の中心部分（黄斑部）以外の領域の視野の欠損の有無を検査することができる。
【０１２５】
例えば、図１２（Ａ）の視野８１では、検査用画像６０に含まれる全てのランドルト環を視認できた被験者が、図１２（Ｂ）の視野８２では、検査用画像６０の領域６２に含まれるランドルト環が視認できなかったとする。
【０１２６】
この場合、この被験者は、黄斑部における視野の欠損はないが、網膜２２の端部の領域に何らかの疾患があり、その部分に対応する視野が欠損していることがわかる。
【０１２７】
このように、本実施形態によれば、被験者の視線の方向に合わせてレーザ投影部１１０を移動させるため、被験者の視線の方向に影響されずに、視野検査と視力検査を行うことができる。
【０１２８】
（第三の実施形態）
以下に図面を参照して、第三の実施形態について説明する。第三の実施形態では、検査用画像に注視点となる指標の画像を含め、この指標の画像と共に検査用画像の投影位置を変更する点が、第二の実施形態と相違する。よって、以下の第三の実施形態の説明では、第二の実施形態との相違点について説明し、第二の実施形態と同様の機能構成を有するものには、第二の実施形態の説明で用いた符号と同様の符号を付与し、その説明を省略する。
【０１２９】
図１３は、第三の実施形態の視力検査装置のハードウェア構成を説明する図である。
【０１３０】
本実施形態の視野視力検査装置１００Ａは、レーザ投影部１１０、通信部１２０、制御部１３０Ｂ、記憶部１４０、レーザ出力制御部１５０、駆動部１６０、操作部１７０を有し、撮像部１８０を有していない。
【０１３１】
つまり、本実施形態の視野視力検査装置１００Ａは、被験者の眼球２０の動きを検出するための手段を有していない。
【０１３２】
本実施形態の制御部１３０Ｂは、駆動部１６０によってレーザ投影部１１０を平行移動させながら、記憶部１４０に格納された検査用画像をレーザ投影部１１０によって被験者の網膜２２に投影させる。
【０１３３】
以下に、図１４を参照して、本実施形態のレーザ投影部１１０の動きについて説明する。図１４は、第三の実施形態のレーザ投影部の動きを説明する図である。
【０１３４】
本実施形態では、被験者の網膜２２における注視点となる指標（固視指標）の画像の投影位置を移動させることで、被験者の視線を、固視指標の画像が移動する方向に誘導する。
【０１３５】
図１４（Ａ）は、被験者がレーザ投影部１１０へ視線を向けた状態を示している。本実施形態では、被験者がレーザ投影部１１０に視線を向けたときの視野の中で、レーザ光によって検査用画像６０Ａを描画する領域を移動させる。尚、本実施形態の検査用画像６０Ａには、注視点となる指標（固視指標）の画像９０が含まれる。
【０１３６】
図１４（Ａ）の例では、被験者の視野８６において、レーザ投影部１１０によりレーザ光が投影される領域は、領域６５である。本実施形態では、この領域６５の中で、検査用画像６０Ａを描画する位置を、視野８６の一方の端部から他方の端部へと移動させる。つまり、レーザ投影部１１０は、検査用画像６０Ａが、領域６５の左側の端部から右側の端部へ移動していく動画データを、被験者の網膜２２に投影することになる。
【０１３７】
本実施形態では、このように、固視指標の画像９０を含む検査用画像６０Ａの描画位置を移動させることで、被験者に画像９０を追わせ、被験者の視線を検査用画像６０Ａの移動方向に誘導する。
【０１３８】
図１４（Ａ）の状態において、検査用画像６０Ａを描画する位置を領域６５の左側の端部から右側の端部まで移動させると、被験者の視線の方向は、固視指標の画像９０を追って、左側から右側へとうつって行く。
【０１３９】
そして、被験者の視線の方向が変わることによって、レーザ投影部１１０から照射されるレーザ光Ｌが瞳孔２５を通過しなくなると、図１４（Ｂ）に示す状態となる。
【０１４０】
図１４（Ｂ）では、被験者の視線が画像９０を追って右側に向いたために、レーザ投影部１１０のレーザ光Ｌが瞳孔２５を通過していない状態を示す。
【０１４１】
図１４（Ｂ）の状態では、検査用画像６０Ａの一部が被験者の網膜に投影されなくなるため、このときの視野８７では、固視指標の画像９０を含む検査用画像６０Ａの一部が、視認されなくなる。
【０１４２】
本実施形態の視野視力検査装置１００Ａは、図１４（Ｂ）の状態となるときに、レーザ投影部１１０を、検査用画像６０Ａ（固視指標の画像９０）が移動していく方向に向かってレーザ投影部１１０を平行移動させる。
【０１４３】
図１４（Ｃ）は、レーザ投影部１１０を平行移動させた状態を示している。この状態では、レーザ投影部１１０から照射されるレーザ光Ｌは、再び被験者の瞳孔２５を通過するようになる。したがって、図１４（Ｃ）の状態では、被験者の視野８８において、検査用画像６０Ａが視認されるようになる。
【０１４４】
レーザ投影部１１０は、駆動部１６０によってその位置が移動されると、再び、検査用画像６０Ａの描画位置を移動させる。
【０１４５】
つまり、本実施形態では、検査が開始されると、レーザ投影部１１０は、被験者の視線を誘導する方向に向かって、検査用画像６０Ａの描画位置を移動させる。そして、検査用画像６０Ａの描画位置が所定の位置まで移動すると、レーザ投影部１１０が、描画位置の移動方向に向かって平行移動する。
【０１４６】
本実施形態のレーザ投影部１１０は、この動作を繰り返すことで、被験者の網膜２２の黄斑部以外の領域まで、検査対象とすることができる。
【０１４７】
また、本実施形態では、固視指標を動かして被験者の視線を誘導するため、例えば、被験者が関心を示す画像を固視指標として、被験者の視線を誘導することができる。しだかって、本実施形態によれば、被験者に、検査を行っていること意識させずに、検査を行うことができ、特に被験者が幼児等である場合には、有用である。
【０１４８】
本実施形態では、検査用画像６０Ａを描画位置させる際のパターンは、予め記憶部１４０に格納されていても良い。
【０１４９】
以下に、図１５を参照して、本実施形態の制御部１３０Ｂの機能について説明する。図１５は、第三の実施形態の制御部の機能を説明する図である。
【０１５０】
本実施形態の制御部１３０Ｂは、位置決定部１３２、投影制御部１３３Ａ、パターン記憶部１３４Ａ、駆動制御部１３６を有する。
【０１５１】
投影制御部１３３Ａは、パターン記憶部１３４Ａに格納されたパターン情報にしたがって、検査用画像６０Ａを示す検査用画像データを被験者の網膜２２へ投影する。具体的には、投影制御部１３３Ａは、被験者の視野において、検査用画像６０Ａの描画位置が移動してくように、パターン情報を参照して、検査用画像データを網膜２２へ投影する。
【０１５２】
パターン記憶部１３４Ａは、検査用画像６０Ａの描画位置の移動のさせ方を示すパターン情報を保持している。
【０１５３】
本実施形態のパターン情報は、例えば、検査用画像６０Ａの描画位置を右側から左側へ移動させ、次にレーザ投影部１１０を右側へ移動させ、次に描画位置を右側から左側へ移動させ、次に描画位置を左側から右側に移動させ、次にレーザ投影部１１０を左側から右側へ移動させる、というような、検査における一連の流れを示す情報である。
【０１５４】
また、本実施形態のパターン情報には、レーザ投影部１１０を平行移動させる際の移動距離を示す情報が含まれていても良い。
【０１５５】
本実施形態の駆動制御部１３６は、パターン情報において、予め設定された移動距離分、レーザ投影部１１０を移動させるように、駆動部１６０を制御すれば良い。
【０１５６】
次に、図１６を参照して、本実施形態の視野視力検査装置１００Ａの動作について説明する。図１６は、第三の実施形態の視野視力検査装置の動作を説明するフローチャートである。
【０１５７】
本実施形態の視野視力検査装置１００の制御部１３０Ｂは、レーザ投影部１１０から基準となるレーザ光を照射させ、位置決定部１３２により、レーザ投影部１１０の初期位置を決定する（ステップＳ１６０１）。
【０１５８】
尚、本実施形態では、被験者が基準となるレーザ光によって投影される画像を視認したことを示す操作を受け付けたときの、レーザ投影部１１０の位置を初期位置としても良い。また、本実施形態では、固視指標の画像９０を、基準となるレーザ光によって投影される画像としても良い。
【０１５９】
続いて、制御部１３０Ｂは、投影制御部１３３Ａにより、パターン記憶部１３４Ａが保持しているパターン情報を参照する（ステップＳ１６０２）。
【０１６０】
続いて、制御部１３０Ｂは、パターン情報に応じて、投影制御部１３３Ａにより、検査用画像６０Ａの描画位置を移動させ、駆動制御部１３６により、駆動部１６０を制御して、レーザ投影部１１０の位置を変更させる（ステップＳ１６０３）。
【０１６１】
続いて、制御部１３０Ｂは、検査が終了したか否かを判定する（ステップＳ１６０４）。具体的には、制御部１３０Ｂは、投影制御部１３３Ａと駆動制御部１３６Ａとが、パターン情報に示される全ての動作を行った場合に、検査が終了するものと判定しても良い。
【０１６２】
ステップＳ１６０４において、検査が終了していない場合、制御部１３０Ｂは、ステップＳ１６０２へ戻る。
【０１６３】
ステップＳ１６０４において、検査が終了した場合、制御部１３０Ｂは、レーザ投影部１１０を初期位置へ戻し（ステップＳ１６０５）、処理を終了する。
【０１６４】
以上のように、本実施形態では、固視指標を動かして、被験者の視線を誘導しながら、視野検査や視力検査を行うため、被検者の視線を検出する撮像部などの構成が不要となり、装置の簡略化も実現できる。さらに、本実施形態では、被験者が視線を一方向に保つ必要がなく、被験者の負担を軽減できる。
（変形例）
以下に、図１７を参照して、レーザ投影部１１０の変形例について説明し、図１８を参照して、撮像部１８０の取り付け方の変形例について説明する。
【０１６５】
図１７は、レーザ投影部の変形例を示す図である。図１７（Ａ）は、レーザ投影部１１０の第一の変形例を示し、図１７（Ｂ）は、レーザ投影部１１０の第二の変形例を示す。
【０１６６】
図１７（Ａ）に示すレーザ投影部１１０Ａでは、光源１１１から照射されたレーザ光が、走査部１１４によって走査される。走査部１１４で走査されたレーザ光は、投影ミラー１７１によって反射されて、被験者の網膜２２に照射される。
【０１６７】
図１７（Ａ）のレーザ投影部１１０Ａでは、レーザ投影部１１０Ａ全体を移動させる代わりに、投影ミラー１７１を回転移動させることで、眼球２０に照射されるレーザ光の方向を変えても良い。
【０１６８】
図１７（Ｂ）に示すレーザ投影部１１０Ｂでは、光源１１１から照射されたレーザ光が、ハーフミラー１７２によって反射されて走査部１１４へ入射する。走査部１１４によって走査されたレーザ光は、集光レンズ１７３を介して被験者の網膜２２へ照射される。
【０１６９】
図１７（Ｂ）のレーザ投影部１１０Ｂでは、レーザ投影部１１０Ｂ全体を移動させる代わりに、走査部１１４を回転移動させることで、眼球２０に照射されるレーザ光の方向を変えても良い。
【０１７０】
図１８は、撮像部の取り付けについて説明する図である。図１８（Ａ）は、撮像部の取り付け方を示す第一の例を示す図であり、図１８（Ｂ）は、撮像部の取り付け方を示す第二の例を示す図である。
【０１７１】
図１８（Ａ）に示す例では、撮像部１８０は、レーザ投影部１１０の近傍に設けられている。尚、図１の例では、撮像部１８０は、画像投影部１０７（レーザ投影部１１０）の下側に設けられるものとしたが、これに限定されない。撮像部１８０は、図１８（Ａ）に示すように、レーザ投影部１１０の横側に配置されても良い。
【０１７２】
図１８（Ｂ）は、撮像部１８０の代わりに、瞳孔位置検出部として、不可視光線を照射するレーザ照射部１８０−１、１８０−２を配置しても良い。
【０１７３】
この場合、レーザ照射部１８０−１、１８０−２のそれぞれから、不可視光線を被験者の眼球２０に照射し、虹彩２６からの反射光に応じて、瞳孔２５の位置を検出しても良い。
【０１７４】
（第四の実施形態）
以下に図面を参照して、第四の実施形態について説明する。第四の実施形態は、視野視力検査装置１００と、走査型レーザ検眼鏡（SLO：Scanning Laser Ophthalmoscope）を組み合わせた点が、第一の実施形態と相違する。よって、以下の第四の実施形態では、第一の実施形態との相違点について説明し、第一の実施形態と同様の機能構成を有するものには、第一の実施形態の説明で用いた符号と同様の符号を付与し、その説明を省略する。
【０１７５】
図１９は、第四の実施形態のレーザ照射部について説明する図である。
【０１７６】
本実施形態のレーザ投影部１１０Ｃは、光源１１１、調整部１１２、光学系１１３を有する。また、本実施形態のレーザ投影部１１０Ｃは、検出器１９０、ハーフミラー１６１、レンズ１６２、分光器１６３、赤外光光学系１９５を有する。赤外光光学系１９５は、走査部１５１、平面ミラー１５２、レンズ１５３、合成部１５４を有する。
【０１７７】
レーザ投影部１１０Ｃにおいて、光源１１１から照射されたレーザ光Ｌは、分光器１６３において赤色レーザ光、緑色レーザ光、及び青色レーザ光の可視レーザ光Ｌａと、赤外レーザ光Ｌｂと、に分光される。分光器１６３は、例えば可視レーザ光Ｌａを透過し、赤外レーザ光Ｌｂを反射するダイクロイックミラーである。尚、分光器１６３は、ダイクロイックミラーに限らず、ダイクロイックプリズムなど、その他の光学素子であってもよい。
【０１７８】
分光器１６３を透過した可視レーザ光Ｌａは可視光であるため、被検者の視線を固定させるための固視指標を投影することができる。
【０１７９】
一方で、赤外レーザ光Ｌｂは、平面ミラー１５２で反射し、走査部１５１により２次元に走査される。走査された赤外レーザ光Ｌｂは、レンズ１５３、合成部１５４、及びレンズ１１７を介し、被験者の眼球２０に照射する。赤外レーザ光Ｌｂは、水晶体２１近傍で収束し、硝子体２３を通過し網膜２２に照射する。また、赤外レーザ光Ｌｂは網膜２２で反射する。
【０１８０】
反射した赤外レーザ光Ｌｂは、赤外レーザ光Ｌｂが網膜２２に向かって進んできた光路を戻る。すなわち、反射した赤外レーザ光Ｌｂは、レンズ１１７、合成部１５４、レンズ１５３、走査部１５１、平面ミラー１５２、及び分光器１６３の順に赤外レーザ光Ｌｂが網膜２２に向かって進んできた光路を戻り、ハーフミラー１６１及びレンズ１６２を介して検出器１９０に入射する。
【０１８１】
これにより、検出器１９０は、走査部１５１によって２次元走査され、網膜２２で反射した赤外レーザ光Ｌｂを検出する。検出器１９０による赤外レーザ光Ｌｂの輝度変化などの検出結果によって、眼球２０の眼底の状態の検出（眼底の状態情報の取得）を行うことができ、その検出対象の一例として２次元の眼底画像を取得することができる。走査部１５１は、赤外レーザ光Ｌｂによる眼球２０の眼底の状態の検出が実現できるよう、例えば１秒間に２５フレームの画像が投影される場合に相当するような１２．５ｋＨｚなどの比較的低い周波数で振動する。
【０１８２】
この赤外レーザ光Ｌｂは、２次元の眼底画像を取得するために、網膜上を走査しながら投影されるが、不可視光であるために、被検者が赤外レーザ光Ｌｂを視認することなく、眼底画像を取得することができる。
【０１８３】
尚、この眼底の２次元画像を取得するときも、被検者の視線の方向、赤外レーザ光Ｌｂを瞳孔から網膜へ投影できなくなることがある。
【０１８４】
その場合には、眼底画像を取得したい位置に、可視光によって固視指標を投影させる。そして、赤外光光学系１９５を、レーザ投影部１１０と同じように眼球２０の動きに合わせて移動させることで、赤外レーザ光Ｌｂを虹彩にさえぎられることなく網膜に投影でき、網膜の任意の位置の眼底画像を、安定して取得することができる。
【０１８５】
以上のように、本実施形態では、走査型レーザ検眼鏡を視野視力検査装置１００と組み合わせることで、視野検査と視力検査に加えて、眼底の状態を検出することができる。
【０１８６】
尚、上述した各実施形態では、視野視力検査装置は、据え置き型として説明したが、これに限定されない。
【０１８７】
視野視力検査装置は、例えば、眼鏡型であっても良い。眼鏡型である場合には、眼鏡のツルの部分に、レーザ投影部と駆動部を含む画像投影部と、撮像部とが取り付けられても良い。
【０１８８】
また、上述した各実施形態では、被験者の網膜２２に投影する画像を検査用画像とし、視野検査や視力検査を行うものとしたが、これに限定されない。
【０１８９】
例えば、各実施形態は、網膜の特定の位置に、所定の画像を常時投影させる、と言った用途に適用されても良い。例えば、自動車や飛行機等の移動体を運転している人の視野の特定の位置に、常に移動体の移動速度を示す画像を投影させる、と言った場合には、眼鏡型の網膜走査型画像投影装置のレーザ照射部を、利用者の瞳孔の位置に合わせて移動させれば良い。この例は、一例であり、上述した各実施形態は、網膜走査型の画像投影装置であれば、適用することができる。
【０１９０】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【符号の説明】
【０１９１】
１００、１００Ａ  視野視力検査装置
１１０、１１０Ａ、１１０Ｂ、１１０Ｃ  レーザ投影部
１２０  通信部
１３０、１３０Ａ、１３０Ｂ  制御部
１３１  撮像制御部
１３２  位置決定部
１３３  投影制御部
１３４  画像処理部
１３５  回転角度算出部
１３５Ａ  移動量算出部
１３６  駆動制御部
１４０  記憶部
１５０  レーザ出力制御部
１６０  駆動部
１７０  操作部
１８０  撮像部
【図１】
2020010821.tif 000003
【図２】
2020010821.tif 000004
【図３】
2020010821.tif 000005
【図４】
2020010821.tif 000006
【図５】
2020010821.tif 000007
【図６】
2020010821.tif 000008
【図７】
2020010821.tif 000009
【図８】
2020010821.tif 000010
【図９】
2020010821.tif 000011
【図１０】
2020010821.tif 000012
【図１１】
2020010821.tif 000013
【図１２】
2020010821.tif 000014
【図１３】
2020010821.tif 000015
【図１４】
2020010821.tif 000016
【図１５】
2020010821.tif 000017
【図１６】
2020010821.tif 000018
【図１７】
2020010821.tif 000019
【図１８】
2020010821.tif 000020
【図１９】
2020010821.tif 000021